(57)【特許請求の範囲】
【請求項１】
無線信号を受信し、スペクトラム拡散が施されたベースバンド信号を復調する復調手段と、
前記復調手段により復調されたベースバンド信号を、拡散コードとの相関演算により逆拡散する相関演算手段と、
前記相関演算手段が相関演算を実行した結果に基づいて、受信信号強度を特定する信号強度特定手段と、
前記相関演算手段を制御してパスサーチを実行するパスサーチ実行手段と、
無線信号による通信に用いた拡散コードと受信タイミングを記録する記録手段と、を備え、
前記パスサーチ実行手段は、前記信号強度特定手段が特定した受信信号強度が所定の信号レベルよりも大きいか否かを判別し、前記所定の信号レベル以下であると判別すると、前記信号強度特定手段が特定した受信信号強度の時間減衰率を求め、当該時間減衰率が所定の閾値よりも大きいか否かを判別し、大きいと判別すると、通信サービス圏内所在時と同様のパスサーチを実行する一方、所定の閾値以下であると判別すると、それまで通信に用いていた拡散コードと受信タイミングを前記記録手段に記録し、所定の時間が経過するまでの間、前記記録手段に記録されている拡散コードと受信タイミングを用いてパスサーチを実行する、
ことを特徴とするＣＤＭＡ方式通信装置。
【請求項２】
前記パスサーチ実行手段は、受信信号強度の時間減衰率が所定の閾値以下であると判別した後、所定の時間が経過すると、通信サービス圏外所在時のパスサーチを実行する、
ことを特徴とする請求項１に記載のＣＤＭＡ方式通信装置。
【請求項３】
前記記録手段は、通信に用いた拡散コードと受信タイミングを複数記録し、
前記パスサーチ実行手段は、前記記録手段に記録されている複数の拡散コードと受信タイミングをＬＩＦＯ（Last In First Out）となる順番で用いてパスサーチを実行する、
ことを特徴とする請求項１又は２に記載のＣＤＭＡ方式通信装置。
【請求項４】
前記所定の信号レベルは、通信サービス圏内と圏外との境界を示す信号レベル未満の受信信号レベルである、
ことを特徴とする請求項１、２又は３に記載のＣＤＭＡ方式通信装置。
【請求項５】
前記所定の信号レベルは、上り回線と下り回線の双方が無線通信を行うには不十分となる領域と、下り回線のみが無線通信が可能な受信信号強度となる領域との境界を示す受信信号レベルである、
ことを特徴とする請求項１、２又は３に記載のＣＤＭＡ方式通信装置。
【請求項６】
無線信号を受信し、スペクトラム拡散が施されたベースバンド信号を復調し、ベースバンド信号と拡散コードとの相関演算を実行することによりベースバンド信号を逆拡散し、相関演算を実行した結果に基づいて受信信号強度を特定し、特定した受信信号強度が所定の信号レベルよりも大きいか否かを判別し、所定の信号レベル以下であると判別すると、特定した受信信号強度の時間減衰率を求め、当該時間減衰率が所定の閾値よりも大きいか否かを判別し、大きいと判別すると、通信サービス圏内所在時と同様のパスサーチを実行する一方、所定の閾値以下であると判別すると、それまで通信に用いていた拡散コードと受信タイミングをメモリに記録し、所定の時間が経過するまでの間、前記メモリに記録した拡散コードと受信タイミングを用いてパスサーチを実行する、
ことを特徴とするＣＤＭＡ方式通信装置のパスサーチ方法。
【請求項７】
受信信号強度の時間減衰率が所定の閾値以下であると判別した後、所定の時間が経過すると、通信サービス圏外所在時のパスサーチを実行する、
ことを特徴とする請求項６に記載のＣＤＭＡ方式通信装置のパスサーチ方法。
【請求項８】
前記メモリには、通信に用いた拡散コードと受信タイミングを複数記録し、
受信信号強度の時間減衰率が所定の閾値以下であると判別した後、所定の時間が経過するまでの間、前記メモリに記録されている複数の拡散コードと受信タイミングをＬＩＦＯ（Last In First Out）となる順番で用いてパスサーチを実行する、
ことを特徴とする請求項６又は７に記載のＣＤＭＡ方式通信装置のパスサーチ方法。
【発明の詳細な説明】
【０００１】
【発明の属する技術分野】
この発明は、ＣＤＭＡ方式を用いて通信を行うＣＤＭＡ方式通信装置に係り、特に、素早く通信サービス圏内に復帰するための動作を完了して消費電力を低減することができるＣＤＭＡ方式通信装置に関する。
【０００２】
【従来の技術】
スペクトラム拡散通信方式を用いたＣＤＭＡ（Ｃｏｄｅ  Ｄｉｖｉｓｉｏｎ  Ｍｕｌｔｉｐｌｅ  Ａｃｃｅｓｓ；符号分割多元接続）方式通信装置が広く普及し、移動電話装置等に適用されている。
こうしたＣＤＭＡ方式通信装置は、基地局との間で無線信号を送受信して通信するために、基地局との通信が可能な程度に受信信号強度が十分大きな無線信号を検出し、受信信号を逆拡散する際のタイミング、すなわち受信タイミングを特定する。この動作をパスサーチという。
このパスサーチにより、ＣＤＭＡ方式通信装置は、基地局にてスペクトラム拡散が施されて送信された信号を受けてタイミング同期を確立し、自機で生成した拡散コードとの相関演算により逆拡散することで、基地局から送られたデータ信号（情報系列）を復元する。
【０００３】
このようなＣＤＭＡ方式を用いた通信では、受信タイミングが拡散コード１チップ分だけでもずれると、データ信号を復元できなくなる。
このため、ＣＤＭＡ方式通信装置は、待ち受け状態であっても受信タイミングを正確に保持しなければならない。
また、電源投入時や通信サービス圏外から圏内に復帰する時には、拡散コードと受信信号との相関演算を、受信タイミングを変化させながら実行し、基地局との間での無線通信が可能となる有効なパスを探索する。
【０００４】
【発明が解決しようとする課題】
上記従来技術では、ＣＤＭＡ方式通信装置が基地局との間で無線通信が可能な通信サービス圏内から圏外へ移動した後、圏内に復帰するためには、受信レベルの測定や有効なパスの特定、タイミング同期の確立等、多くの処理を実行しなければならない。
ここで、基地局との無線通信を可能とする有効なパスを探索するパスサーチの際には、マッチトフィルタを起動しなければならず、消費電力が増大するという問題がある。
【０００５】
この発明は、上記実状に鑑みてなされたものであり、通信サービス圏内に復帰するための動作を素早く完了して消費電力を低減することができるＣＤＭＡ方式通信装置を提供することを目的とする。
【０００６】
【課題を解決するための手段】
上記目的を達成するため、この発明の第１の観点に係るＣＤＭＡ方式通信装置は、
無線信号を受信し、スペクトラム拡散が施されたベースバンド信号を復調する復調手段と、
前記復調手段により復調されたベースバンド信号を、拡散コードとの相関演算により逆拡散する相関演算手段と、
前記相関演算手段が相関演算を実行した結果に基づいて、受信信号強度を特定する信号強度特定手段と、
前記相関演算手段を制御してパスサーチを実行するパスサーチ実行手段と、
無線信号による通信に用いた拡散コードと受信タイミングを記録する記録手段と、を備え、
前記パスサーチ実行手段は、前記信号強度特定手段が特定した受信信号強度が所定の信号レベルよりも大きいか否かを判別し、前記所定の信号レベル以下であると判別すると、前記信号強度特定手段が特定した受信信号強度の時間減衰率を求め、当該時間減衰率が所定の閾値よりも大きいか否かを判別し、大きいと判別すると、通信サービス圏内所在時と同様のパスサーチを実行する一方、所定の閾値以下であると判別すると、それまで通信に用いていた拡散コードと受信タイミングを前記記録手段に記録し、所定の時間が経過するまでの間、前記記録手段に記録されている拡散コードと受信タイミングを用いてパスサーチを実行する、
ことを特徴とする。
【０００７】
この発明によれば、受信信号強度の時間減衰率が所定の閾値よりも大きい間は、通信サービス圏内にある時と同様のパスサーチを実行する。これにより、例えばビルの影や地下に入った場合のように、無線信号の受信強度が短時間だけ低下した場合に、通信サービス圏内への復帰動作を素早く完了することができ、消費電力を低減することができる。また、通信サービス圏外にある時に、マッチトフィルタ等を用いて相関演算を実行する相関演算手段が動作する時間を短縮することができるので、消費電力を低減することができる。
【０００９】
また、前記パスサーチ実行手段は、受信信号強度の時間減衰率が所定の閾値以下であると判別した後、所定の時間が経過すると、通信サービス圏外所在時のパスサーチを実行することが望ましい。
【００１０】
前記記録手段は、通信に用いた拡散コードと受信タイミングを複数記録し、
前記パスサーチ実行手段は、前記記録手段に記録されている複数の拡散コードと受信タイミングをＬＩＦＯ（Ｌａｓｔ  Ｉｎ  Ｆｉｒｓｔ  Ｏｕｔ）となる順番で用いてパスサーチを実行してもよい。
【００１１】
前記所定の信号レベルは、通信サービス圏内と圏外との境界を示す信号レベル未満の受信信号レベルであることが望ましい。
すなわち、通信サービス圏外にある時でも、所定の条件を満たせば、通信サービス圏内所在時のパスサーチを実行する。これにより、通信サービス圏内への復帰動作を素早く完了して消費電力を低減することができる。
【００１２】
例えば、前記所定の信号レベルは、上り回線と下り回線の双方が無線通信を行うには不十分となる領域と、下り回線のみが無線通信が可能な受信信号強度となる領域との境界を示す受信信号レベルであることが望ましい。
【００１３】
また、この発明の第２の観点に係るＣＤＭＡ方式通信装置のパスサーチ方法は、
無線信号を受信し、スペクトラム拡散が施されたベースバンド信号を復調し、ベースバンド信号と拡散コードとの相関演算を実行することによりベースバンド信号を逆拡散し、相関演算を実行した結果に基づいて受信信号強度を特定し、特定した受信信号強度が所定の信号レベルよりも大きいか否かを判別し、所定の信号レベル以下であると判別すると、特定した受信信号強度の時間減衰率を求め、当該時間減衰率が所定の閾値よりも大きいか否かを判別し、大きいと判別すると、通信サービス圏内所在時と同様のパスサーチを実行する一方、所定の閾値以下であると判別すると、それまで通信に用いていた拡散コードと受信タイミングをメモリに記録し、所定の時間が経過するまでの間、前記メモリに記録した拡散コードと受信タイミングを用いてパスサーチを実行する、
ことを特徴とする。
【００１４】
この発明によれば、受信信号強度の時間減衰率が所定の閾値よりも大きい間は、通信サービス圏内にある時と同様のパスサーチを実行する。これにより、無線信号の受信強度が短時間だけ低下した場合に、通信サービス圏内への復帰動作を素早く完了することができ、消費電力を低減することができる。また、通信サービス圏外にある時に、マッチトフィルタ等を用いて相関演算を実行する時間を短縮することができるので、消費電力を低減することができる。
【００１５】
受信信号強度の時間減衰率が所定の閾値以下であると判別した後、所定の時間が経過すると、通信サービス圏外所在時のパスサーチを実行することが望ましい。
また、前記メモリには、通信に用いた拡散コードと受信タイミングを複数記録し、
受信信号強度の時間減衰率が所定の閾値以下であると判別した後、所定の時間が経過するまでの間、前記メモリに記録されている複数の拡散コードと受信タイミングをＬＩＦＯ（Last In First Out）となる順番で用いてパスサーチを実行することが望ましい。
【００１６】
【発明の実施の形態】
以下に、図面を参照して、この発明の実施の形態に係るＣＤＭＡ方式通信装置について詳細に説明する。
図１は、この発明の実施の形態に係るＣＤＭＡ方式通信装置１００の構成を示す図である。
図示するように、このＣＤＭＡ方式通信装置１００は、無線復調部１０と、ＲＡＫＥ処理部１１と、データ処理部１２と、アンテナ１３とを備えている。
【００１７】
無線復調部１０は、ＬＮＡ（Ｌｏｗ  Ｎｏｉｓｅ  Ａｍｐｌｉｆｉｅｒ）、ダウンコンバータ、直交検波器等から構成され、アンテナ１３が受信した無線信号からベースバンド信号を復調するためのものである。無線復調部１０により復調されるベースバンド信号は、スペクトラム拡散が施されており、ＲＡＫＥ処理部１１が、このベースバンド信号を逆拡散することによりデータ信号を復元する。
【００１８】
ＲＡＫＥ処理部１１は、無線復調部１０が復調したベースバンド信号をマルチパスの発生状況に応じた補償等をしながら逆拡散してデータ信号を復元するためのものである。
図２は、ＲＡＫＥ処理部１１の構成を示す図である。
図示するように、ＲＡＫＥ処理部１１は、マッチトフィルタ２０と、ＲＳＳＩ（Ｒｅｃｅｉｖｅｄ  Ｓｉｇｎａｌ  Ｓｔｒｅｎｇｔｈ  Ｉｎｄｉｃａｔｏｒ）計算器２１と、信号レベル調整器２２と、複数のＰＮ（Ｐｓｅｕｄｏ  Ｎｏｉｓｅ）相関器２３と、ＲＡＫＥ合成器２４と、干渉指標計算器２５と、制御処理回路２６と、メモリ２７とを備えている。
【００１９】
マッチトフィルタ２０は、遅延素子、重み付けタップ、加算器等から構成され、無線復調部１０から受けたベースバンド信号と制御処理回路２６により指定された拡散コードとの相関演算により、ベースバンド信号を逆拡散するためのものである。
マッチトフィルタ２０は、ベースバンド信号を所定の時間（例えば、１シンボル時間）ずつ遅延させながら拡散コードとの相関演算を行い、演算結果として得られるパルス列を、ＲＳＳＩ計算器２１と信号レベル調整器２２に送る。
【００２０】
ＲＳＳＩ計算器２１は、マッチトフィルタ２０から受けたパルス列より、受信信号の強度を求めるためのものであり、求めた受信信号強度を指標（ＲＳＳＩ）として制御処理回路２６に送る。すなわち、ＲＳＳＩ計算器２１は、受信した無線信号の強度を測定して、制御処理回路２６に通知する。
なお、ＲＳＳＩ計算器２１は、ＲＳＳＩを図示せぬ送信モジュールに送ることで、このＣＤＭＡ方式通信装置１００と基地局との間で送受信される無線信号の電力を調整することなども可能である。
【００２１】
信号レベル調整器２２は、遅延素子、乗算器等から構成され、マッチトフィルタ２０から受けたパルス列の信号レベルを調整するためのものであり、信号レベルを調整したパルス列を制御処理回路２６に送る。
【００２２】
複数のＰＮ相関器２３は、シフトレジスタ、ＰＮ系列生成器、乗算器等から構成され、無線復調部１０から受けたベースバンド信号を、制御処理回路２６により指定された拡散コードとの相関演算を実行して逆拡散することにより、データ信号を取り出すためのものである。
【００２３】
ＲＡＫＥ合成器２４は、加算器等から構成され、複数のＰＮ相関器２３から受けたデータ信号を合成する（ＲＡＫＥする、かき集める）ためのものであり、合成したデータ信号をデータ処理部１２に送る。
【００２４】
干渉指標計算器２５は、ＩＳＳＩ（Ｉｎｔｅｒｆｅｒｅｎｃｅ  Ｓｉｇｎａｌ  Ｓｔｒｅｎｇｔｈ  Ｉｎｄｉｃａｔｏｒ）やＥｂ／Ｉｏといった無線信号に生じた干渉の度合いを求めるためのものであり、求めたＩＳＳＩやＥｂ／Ｉｏを制御処理回路２６に送る。
なお、ＩＳＳＩは、干渉波の電力を示す指標であり、Ｅｂ／Ｉｏは、全干渉スペクトル密度に対する拡散コード１シンボルあたりのエネルギーの比を示すものである。
【００２５】
制御処理回路２６は、ＣＰＵ（Ｃｅｎｔｒａｌ  Ｐｒｏｃｅｓｓｉｎｇ  Ｕｎｉｔ）等から構成され、ＲＡＫＥ処理部１１全体の動作を制御するためのものであり、パス選択部３０と、相関制御部３１とを備えている。
【００２６】
パス選択部３０は、信号レベル調整器２２が信号レベルを調整したパルス列を受けて、受信タイミングを特定するための遅延プロファイルを作成する等して基地局との通信を可能とする有効なパスを選択するためのものである。受信タイミングは、ベースバンド信号と拡散コードのタイミング同期を確立するための時間偏移量である。
パス選択部３０は、選択した有効なパスに対応する受信タイミングを相関制御部３１に通知する。
【００２７】
相関制御部３１は、パス選択部３０から通知された受信タイミングに応じて、複数のＰＮ相関器２３がデータ信号を取り出すためのパラメータを作成して、複数のＰＮ相関器２３にセットする。このパラメータは、ＰＮ相関器２３がベースバンド信号の位相を時間的に補償するための遅延時間と、パスの信頼度による重み付け度数（増幅率）を含んだデータである。
【００２８】
また、制御処理回路２６は、受信信号強度が所定の受信レベル以下で安定した場合に、それまでＰＮ相関器２３がデータ信号を取り出すために用いていたロングコードと各ＰＮ相関器２３の受信タイミングを示すデータをメモリ２７に記録する。ロングコードは、基地局ごとに固有の符号系列を示す長拡散コード（識別拡散コード）である。
この後、制御処理回路２６は、受信信号強度が所定の受信レベル以下で安定した後、所定時間が経過するまでの間、メモリ２７に記録されているロングコードと受信タイミングを示すデータを用いてパスサーチを実行する。
ここで、制御処理回路２６は、タイマー機能を備えており、受信信号強度が所定の受信レベル以下で安定した時点からの経過時間を測定する。
【００２９】
メモリ２７は、半導体メモリ等から構成され、制御処理回路２６から送られた止まり木チャンネルテーブルや、受信信号強度が所定の受信レベル以下で安定した後、所定時間が経過するまでの間のパスサーチに利用するロングコードや受信タイミングを記録して保存するためのものである。
【００３０】
図１のデータ処理部１２は、デコーダ、スピーカ等から構成され、ＲＡＫＥ処理部１１から受けたデータ信号の復号を行って、復号により得られる情報に応じて音声信号を出力する等の各種処理を実行するためのものである。
【００３１】
以下に、この発明の実施の形態に係るＣＤＭＡ方式通信装置１００の動作を説明する。
このＣＤＭＡ方式通信装置１００は、移動電話装置等に適用され、基地局との通信に利用した拡散コードと受信タイミングを記録して再利用することで、素早く通信サービス圏内への復帰動作を完了して消費電力を低減することができる装置である。
【００３２】
ＣＤＭＡ方式通信装置１００は、図示せぬ電源キーが押下されて電源が投入されると、図３のフローチャートに示す電源投入時探索処理を開始する。
【００３３】
電源投入時探索処理を開始すると、制御処理回路２６は、マッチトフィルタ２０を起動して、ショートコードを用いたパスサーチを実行する（ステップＳ１）。ショートコードは、複数の基地局がサポートするセルに共通の短拡散コード（共通拡散コード）である。
より具体的には、制御処理回路２６は、相関制御部３１がマッチトフィルタ２０に所定のショートコードをセットして、受信タイミングを変化させながら、無線復調部１０から送られたベースバンド信号との相関演算を実行させる。
【００３４】
マッチトフィルタ２０は、無線復調部１０から受けたベースバンド信号と制御処理回路２６によりセットされた所定のショートコードとの相関演算を実行する。マッチトフィルタ２０は、相関演算により得られたパルス列をＲＳＳＩ計算器２１と信号レベル調整器２２に送る。
【００３５】
ＲＳＳＩ計算器２１は、マッチトフィルタ２０から受けたパルス列より無線信号の受信強度（受信信号強度）を求めて指標（ＲＳＳＩ）として制御処理回路２６に送る。これにより、制御処理回路２６は、受信信号の受信レベルを測定する（ステップＳ２）。
【００３６】
制御処理回路２６は、ＲＳＳＩ計算器２１から受けた指標（ＲＳＳＩ）に基づいて測定した受信信号の受信レベルに基づいて、無線信号の受信強度（受信信号強度）が所定の通信用信号レベル閾値より大きいか否かを判別する（ステップＳ３）。
ここで、通信用信号レベル閾値は、上り回線と下り回線の双方において無線通信を行うために十分な強度となる領域を規定する指標となる受信信号レベルの値である。すなわち、通信用信号レベル閾値は、通信サービス圏内と圏外の境界を示す指標となる受信信号レベルの値である。
【００３７】
制御処理回路２６は、受信信号強度が通信用信号レベル閾値以下であると判別すると（ステップＳ３にてＮＯ）、処理を上記ステップＳ１にリターンする。すなわち、ＣＤＭＡ方式通信装置１００は、通信サービス圏外におけるパスサーチを繰り返す。
【００３８】
一方、制御処理回路２６は、受信信号強度が通信用信号レベル閾値より大きいと判別すると（ステップＳ３にてＹＥＳ）、基地局と通信を行うために用意された複数のロングコードを相関制御部３１が順次マッチトフィルタ２０にセットして、受信タイミングを変化させながら相関演算を実行させる。これにより、制御処理回路２６は、基地局との通信が可能となるロングコードを検出する（ステップＳ４）。相関制御部３１は、ロングコードに合わせた相関演算を実行するためのパラメータ等を、マッチトフィルタ２０や複数のＰＮ相関器２３に設定し、無線信号の受信レベルを測定する（ステップＳ５）。
【００３９】
マッチトフィルタ２０は、制御処理回路２６の設定に応じてロングコードと無線復調部１０から受けたベースバンド信号との相関演算を実行し、ベースバンド信号を逆拡散する。マッチトフィルタ２０は、相関演算により得られたパルス列をＲＳＳＩ計算器２１と信号レベル調整器２２に送る。
【００４０】
複数のＰＮ相関器２３は、制御処理回路２６の設定に応じてロングコードと無線復調部１０から受けたベースバンド信号との相関演算を実行することにより逆拡散を行い、データ信号を取り出してＲＡＫＥ合成器２４に送る。
【００４１】
ＲＡＫＥ合成器２４は、複数のＰＮ相関器２３から受けたデータ信号を合成して、干渉指標計算器２５及びデータ処理部１２に送る。
【００４２】
干渉指標計算器２５は、ＲＡＫＥ合成器２４から受けたデータ信号に基づいて、干渉信号の強度を示す指標ＩＳＳＩ及びＥｂ／Ｉｏを求める。干渉指標計算器２５は、求めた指標（ＩＳＳＩ）及びＥｂ／Ｉｏを制御処理回路２６に送る。
【００４３】
ＲＳＳＩ計算器２１は、マッチトフィルタ２０から受けたパルス列より無線信号の受信強度を求めて指標（ＲＳＳＩ）として制御処理回路２６に送る。
【００４４】
信号レベル調整器２２は、マッチトフィルタ２０から受けたパルス列の信号レベルを調整して制御処理回路２６に送る。
【００４５】
制御処理回路２６は、ＲＳＳＩ計算器２１から受けた指標（ＲＳＳＩ）に基づいて受信信号の受信レベルを測定し、無線信号の受信強度（受信信号強度）が所定の通信用信号レベル閾値よりも大きいか否かを判別する（ステップＳ６）。
【００４６】
制御処理回路２６は、受信信号強度が通信用信号レベル閾値以下であると判別すると（ステップＳ６にてＮＯ）、処理を上記ステップＳ１にリターンする。
このようにして、このＣＤＭＡ方式通信装置１００は、基地局との無線通信が可能となる有効なパスを索出できるまで、所定時間が経過するごとに電源投入時と同様のパスサーチを繰り返す。
【００４７】
例えば、ＣＤＭＡ方式通信装置１００は、図４（ａ）に示すように、２無線フレーム分に相当する時間（２０ｍｓｅｃ）だけマッチトフィルタ２０を動作させて電源投入時と同様のパスサーチを実行した後、１０秒間だけマッチトフィルタ２０の動作を停止させてスリープ状態となる。ＣＤＭＡ方式通信装置１００は、基地局との通信が可能となる有効なパスを索出できるまで、この動作を繰り返す。
【００４８】
一方、制御処理回路２６は、上記ステップＳ６にて、受信信号強度が通信用信号レベル閾値よりも大きいと判別すると（ステップＳ６にてＹＥＳ）、止まり木チャンネルのスーパーフレームタイミング（止まり木チャンネルタイミング）を検出する（ステップＳ７）。
【００４９】
ＣＤＭＡ方式通信装置１００は、スーパーフレームタイミングを検出して同期を確立することにより、基地局からの報知情報を受信できるようになり、基地局の送信電力や、上り干渉量、周辺セルの基地局ごとのロングコード、共通制御ＣＨのオフセット値等を取得することができる。
【００５０】
制御処理回路２６は、これらの報知情報を止まり木チャンネルテーブルとしてメモリ２７に保存し（ステップＳ８）、電源投入時探索処理を終了する。
【００５１】
このように、基地局との通信を可能とする有効なパスが索出されて電源投入時探索処理を終了すると、ＣＤＭＡ方式通信装置１００は、圏内モードとなり、引き続いて図５のフローチャートに示す圏内モード処理を開始する。
【００５２】
圏内モード処理を開始すると、制御処理回路２６は、電源投入時探索処理のステップＳ８にてメモリ２７に保存した止まり木チャンネルテーブルから、ＰＣＨ（Ｐａｇｉｎｇ  Ｃｈａｎｎｅｌ）のオフセット値を取得する。制御処理回路２６は、相関制御部３１がマッチトフィルタ２０及び複数のＰＮ相関器２３を制御して、止まり木チャンネルテーブルから取得したオフセット値に応じたパスサーチを行い、ＰＣＨの情報を得る（ステップＳ１０）。
【００５３】
ＰＣＨには、着信情報の有無を示す情報や、基地局からの報知情報を再検出する旨の情報（報知情報再検出情報）が含まれている。制御処理回路２６は、ＰＣＨからこれらの情報を検出する（ステップＳ１１）。制御処理回路２６は、ＰＣＨからの検出結果、特に報知情報再検出情報に基づいて、報知情報を再度受信するか否かを判別する（ステップＳ１２）。
【００５４】
制御処理回路２６は、報知情報を再度受信すると判別すると（ステップＳ１２にてＹＥＳ）、上記電源投入時探索処理（図３に示す）のステップＳ７に処理をリターンして、報知情報を再度取得する。
【００５５】
一方、制御処理回路２６は、報知情報を再度受信しないと判別すると（ステップＳ１２にてＮＯ）、相関制御部３１がマッチトフィルタ２０と複数のＰＮ相関器２３を制御して、ＲＳＳＩ計算器２１及び干渉指標計算器２５により、干渉指標（ＩＳＳＩ，Ｅｂ／Ｉｏ）を含めた受信信号強度を測定する（ステップＳ１３）。
【００５６】
制御処理回路２６は、ＲＳＳＩ計算器２１から受けたＲＳＳＩに基づいて、受信信号強度が所定の受信可能閾値よりも大きいか否かを判別する（ステップＳ１４）。
ここで、受信可能閾値は、上り回線と下り回線の双方が無線通信を行うには不十分な受信信号強度となる領域と、下り回線のみが無線通信を行うのに十分な受信信号強度となる領域との境界を示す指標となる受信信号レベルの値である。
【００５７】
制御処理回路２６は、受信信号強度が受信可能閾値よりも大きいと判別すると（ステップＳ１４にてＹＥＳ）、処理を上記ステップＳ１０にリターンする。
このようにして、このＣＤＭＡ方式通信装置１００は、受信信号強度が受信可能閾値よりも大きい間は、圏内モードでの処理を繰り返す。
すなわち、このＣＤＭＡ方式通信装置１００は、通信サービス圏外所在時であっても、受信信号強度が所定の受信信号レベルの値（受信可能閾値）よりも大きい間は、通信サービス圏内所在時と同様のパスサーチを実行する。
【００５８】
例えば、ＣＤＭＡ方式通信装置１００は、図４（ｂ）に示すように、１００スーパーフレームに相当する時間（６．４ｓｅｃ）のうちで、１シンボル分に相当する時間（０．０６２５ｍｓｅｃ）だけマッチトフィルタ２０を動作させて圏内モード時のパスサーチを実行し、同期の確認や受信信号レベルの測定を行う。
これにより、通信サービス圏内に復帰するための動作を素早く完了してマッチトフィルタ２０を動作させる時間を短縮し、消費電力を低減することができる。
【００５９】
一方、制御処理回路２６は、受信信号強度が受信可能閾値以下であると判別すると（ステップＳ１４にてＮＯ）、上記ステップＳ１３にて測定した受信信号強度に基づいて、時間レベル減衰率を測定する（ステップＳ１５）。
ここで、時間レベル減衰率は、受信信号レベルの時間変化率（時間減衰率）を示し、数式１により求められる。
【数１】
（時間レベル減衰率）＝（ＲＳＳＩ減衰量）／（ＲＳＳＩの測定時間間隔）すなわち、ＣＤＭＡ方式通信装置１００において受信する無線信号の受信レベルが急速に減衰した場合には、時間レベル減衰率が大きくなる。
【００６０】
制御処理回路２６は、時間レベル減衰率が所定の閾値よりも大きいか否かを判別する（ステップＳ１６）。
【００６１】
制御処理回路２６は、時間レベル減衰率が所定の閾値よりも大きいと判別すると（ステップＳ１６にてＹＥＳ）、処理を上記ステップＳ１０にリターンして、ＣＤＭＡ方式通信装置１００が圏内モードである場合と同様の受信動作を繰り返す。
これにより、例えば、ビル等の建物の影響で無線信号が届きにくくなった場合や地下に移動した場合のように、無線信号の受信強度が急速に減衰した場合には、圏内モードと同様の受信動作を継続することで、受信強度が回復したときに、素早く圏内への復帰動作を完了することができる。また、通信サービス圏内に復帰するための動作を素早く完了してマッチトフィルタ２０を動作させる時間を短縮し、消費電力を低減することができる。
【００６２】
一方、制御処理回路２６は、時間レベル減衰率が所定の閾値以下であると判別すると（ステップＳ１６にてＮＯ）、これまで基地局との無線通信のために使用していたロングコードと受信タイミングをメモリ２７に記録して保存する（ステップＳ１７）。
【００６３】
この後、制御処理回路２６は、タイマー機能を起動してタイマーをセットし、経過時間の測定を開始する（ステップＳ１８）。
【００６４】
制御処理回路２６は、相関制御部３１がメモリ２７に記録されているロングコードと受信タイミングをマッチトフィルタ２０に通知してＰＣＨのパスサーチを実行する（ステップＳ１９）。
【００６５】
ここで、メモリ２７に複数のロングコードと受信タイミングを記録可能とし、相関制御部３１がメモリ２７に記録されている順番に従って順次ロングコードと受信タイミングを読み出してマッチトフィルタ２０に通知してパスサーチを実行してもよい。
この際、例えば、相関制御部３１は、メモリ２７に記録されているロングコードと受信タイミングをＬＩＦＯ（Ｌａｓｔ  Ｉｎ  Ｆｉｒｓｔ  Ｏｕｔ）となる順番で読み出してマッチトフィルタ２０に通知してパスサーチを実行する。
【００６６】
マッチトフィルタ２０は、相関制御部３１から通知されたロングコードと受信タイミングに応じた相関演算を実行し、ＲＳＳＩ計算器２１が、マッチトフィルタ２０による相関演算の結果から無線信号の受信強度を求めて指標（ＲＳＳＩ）として制御処理回路２６に送る（ステップＳ２０）。
これにより、これまで基地局との間で無線通信を行うために用いていたロングコードと受信タイミングを再利用してパスを探索することができ、ビルの影や地下に入った場合のように、一時的に電波が届かない場所に移動したのち圏内に復帰する場合に、復帰動作を素早く完了することができる。
また、マッチトフィルタ２０が動作する時間を短縮することができるので、消費電力を低減することができる。
【００６７】
制御処理回路２６は、受信信号強度が受信可能閾値よりも大きいか否かを判別する（ステップＳ２１）。
【００６８】
制御処理回路２６は、ＲＳＳＩが受信可能閾値よりも大きいと判別すると（ステップＳ２１にてＹＥＳ）、処理を上記ステップＳ１０にリターンして、圏内で待ち受けるための処理を実行する。
【００６９】
一方、制御処理回路２６は、ＲＳＳＩが受信可能閾値以下であると判別すると（ステップＳ２１にてＮＯ）、上記ステップＳ１８にてセットしたタイマーにより計測した時間が、所定の時間を超えたか否か、すなわちタイマーが満了したか否かを判別する（ステップＳ２２）。
【００７０】
制御処理回路２６は、タイマーが満了していないと判別すると（ステップＳ２２にてＮＯ）、処理を上記ステップＳ１９にリターンして、メモリ２７に保存されているロングコード及び受信タイミングを用いたパスの探索を継続する。
【００７１】
一方、制御処理回路２６は、タイマーが満了したと判別すると（ステップＳ２２にてＹＥＳ）、このＣＤＭＡ方式通信装置１００を圏外モードとし、上記電源投入時探索処理を実行する。
すなわち、このＣＤＭＡ方式通信装置１００は、無線信号の受信強度が所定の受信レベル以下となって安定した後、所定の時間が経過すると、通信サービス圏外所在時のパスサーチを実行し、有効なパスを索出できるまで、電源投入時と同様のパスサーチを繰り返し実行する。
【００７２】
このように、このＣＤＭＡ方式通信装置１００は、基地局から送られる無線信号の受信強度が低下しても、一定の時間が経過するまでは、メモリ２７に記録された特定のロングコード及び受信タイミングのみを用いてパスを探索する。これにより、無線信号の受信強度が短時間だけ低下した場合に、通信サービス圏内への復帰動作を素早く完了することができ、消費電力を低減することができる。
【００７３】
以上説明したように、この発明に係るＣＤＭＡ方式通信装置１００は、無線信号の受信レベルが受信可能閾値より大きいとき、すなわち、基地局に送信した無線信号が到達するか否かに関わらず、基地局からの無線信号が受信できる状態にあれば、通信サービス圏内と同様のパスサーチ動作を行う。
また、この発明に係るＣＤＭＡ方式通信装置１００は、時間減衰率が大きいとき、すなわち、無線信号の受信レベルが急速に低下したときには、通信サービス圏内にあるときと同様のパスサーチ動作を行う。
これにより、ビルの影や地下に入るなどして電波が一時的に届きにくくなった場合に、電源投入時のパスサーチ動作とは異なるパスサーチ動作を行うことで、素早く圏内への復帰動作を完了し、消費電力を低減することができる。
【００７４】
この発明は、上記実施の形態に限定されず、様々な変形及び応用が可能である。
例えば、上記実施の形態では、受信可能閾値を、上り回線と下り回線の双方が無線通信を行うには不十分となる領域と、下り回線のみが無線通信が可能な受信強度となる領域との境界を示す指標となる受信信号レベルの値であるとして説明したが、これに限定されない。
すなわち、受信可能閾値は、通信用信号レベル未満の任意の値であればよく、このＣＤＭＡ方式通信装置１００が通信サービス圏内に復帰する動作を素早く完了することができるように、適切な値を指定することができる。
【００７５】
【発明の効果】
以上の説明のように、この発明は、受信信号レベルの時間変化率や受信信号強度が低下してからの経過時間に合わせたパスサーチを行うことにより、通信サービス圏内への復帰動作を素早く完了して消費電力を低減することができる。
【図面の簡単な説明】
【図１】この発明の実施の形態に係るＣＤＭＡ方式通信装置の構成を示す図である。
【図２】ＲＡＫＥ処理部の構成を示す図である。
【図３】電源投入時探索処理を説明するためのフローチャートである。
【図４】この発明の実施の形態に係るＣＤＭＡ方式通信装置が実行するパスサーチを説明するためのタイムチャートである。
【図５】圏内モード処理を説明するためのフローチャートである。
【符号の説明】
１０  無線復調部
１１  ＲＡＫＥ処理部
１２  データ処理部
１３  アンテナ
２０  マッチトフィルタ
２１  ＲＳＳＩ計算器
２２  信号レベル調整器
２３  ＰＮ相関器
２４  ＲＡＫＥ合成器
２５  干渉指標計算器
２６  制御処理回路
２７  メモリ
３０  パス選択部
３１  相関制御部
１００  ＣＤＭＡ方式通信装置
【図１】
0003571597.tif 000002
【図２】
0003571597.tif 000003
【図３】
0003571597.tif 000004
【図４】
0003571597.tif 000005
【図５】
0003571597.tif 000006